(57)【要約】      （修正有）【課題】治療部位において送達システムから埋め込まれたインプラントを解放することによって動脈瘤を治療するための装置を提供すること。【解決手段】この装置は、送達チューブ５００及びプルワイヤ２００と取り外し可能に係合され得る解放構成要素１１０に装着された編組インプラント３００を含み得る。解放構成要素は、摩擦嵌合によって送達チューブを圧縮構成で係合でき、解放構成、つまり展開構成に拡張することによって送達チューブを係合解除できる。プルワイヤは、解放構成要素に係合できる延在部分２０２と、引かれて解放構成要素を係合解除できる細長い部分２０４と、を有し得る。編組インプラントは、埋め込まれると、解放構成要素からプルワイヤを係合解除し、送達チューブから解放構成要素を係合解除することによって、送達チューブから解放され得る。【選択図】図１ａ
2020022756.tif 000002
【特許請求の範囲】
【請求項１】
動脈瘤内でインプラントを解放するためのシステムであって、
編組インプラントと、
内部を通るルーメンと、遠位端と、外側表面と、前記外側表面に配設されたチャネルと、を備える送達チューブと、
解放構成要素であって、
前記編組インプラントの第１の部分に装着された外側表面と、前記送達チューブの前記遠位端に近接して前記送達チューブを包囲するルーメンと、を備えるバンドと、
前記バンドに装着されたバネ部材であって、前記バネ部材は圧縮構成から伸張構成に移行可能であり、前記圧縮構成は前記送達チューブの前記外側表面を押圧し、前記伸張構成は前記送達チューブの前記外側表面から離れる方向に延在する、バネ部材と、を備える、解放構成要素と、
前記送達チューブの前記チャネル内に位置付けられたプルワイヤであって、前記プルワイヤは係合構成から解放構成に移行可能であり、前記係合構成は前記解放構成要素を係合しており、前記解放構成は前記バネ部材のその伸張構成への拡張を可能にする、プルワイヤと、を備える、システム。
【請求項２】
前記編組インプラントの前記第１の部分は、折り畳み部によって前記編組インプラントの第２の部分から分離され、
前記第１の部分は、前記送達チューブの前記遠位端の前記外側表面の一部を包囲し、
前記第２の部分は細長い管状構造を備え、前記送達チューブの前記ルーメン内に位置付けられている、請求項１に記載のシステム。
【請求項３】
前記プルワイヤは、延在部分と、細長い部分と、を備え、前記細長い部分の移動により、前記延在部分を前記係合構成から前記解放構成に移行させる、請求項１に記載のシステム。
【請求項４】
前記プルワイヤは、接着剤で前記送達チューブの前記チャネルに固定され、前記細長い部分の前記移動により、前記接着剤が破断して前記プルワイヤを解放する、請求項３に記載のシステム。
【請求項５】
前記編組インプラントを前記バンドの前記外側表面に固定する固定構成要素を更に備え、前記固定構成要素は内部を通るルーメンを備え、前記ルーメンは前記バンドを包囲する、請求項１に記載のシステム。
【請求項６】
前記バネ部材は、近位端及び遠位端を備える細長い部材であり、前記近位端は前記バンドの遠位面に装着され、前記遠位端は、前記圧縮構成において前記送達チューブの前記外側表面を押圧し、前記遠位端は、前記伸張構成において前記送達チューブの前記外側表面から離れる方向に延在する、請求項１に記載のシステム。
【請求項７】
前記解放構成要素は、送達構成から展開構成に移行可能な、前記バンドに装着された閉塞部材を更に備え、前記送達構成は、前記送達チューブの前記外側表面に沿って長手方向に延在し、前記展開構成は、前記バンドの前記ルーメンを少なくとも部分的に閉塞させる、請求項１に記載のシステム。
【請求項８】
前記解放構成要素は放射線不透過性物質からなる、請求項１に記載のシステム。
【請求項９】
動脈瘤を治療するための装置であって、
遠位送達端と、内側と、外側と、を備える、管状送達部材と、
編組管状インプラントであって、
前記管状送達部材の前記遠位送達端から外向きに延在し、前記管状送達部材の前記外側の一部の上で近位に折り畳まれる、遠位インプラント端と、
前記管状送達部材の前記内側に位置付けられた近位インプラント端と、を備える、編組管状インプラントと、
前記遠位インプラント端に装着され、前記遠位送達端に近接して前記管状送達部材の前記外側に取り外し可能に装着された解放構成要素と、
前記管状送達部材の前記遠位送達端に近接して位置付けられた曲げ部材であって、前記曲げ部材は屈曲構成及び直線構成を含み、前記屈曲構成は前記解放構成要素の遠位面を係合し、前記直線構成は前記解放構成要素の前記遠位面から係合解除されている、曲げ部材と、を備える、装置。
【請求項１０】
前記解放構成要素は装着構成及び展開構成を含み、前記装着構成は前記管状送達部材の前記外側を係合し、前記展開構成は前記管状送達部材の前記外側を係合解除する、請求項９に記載の装置。
【請求項１１】
前記展開構成は、前記バンドの前記ルーメンを少なくとも部分的に閉塞させる、請求項１０に記載の装置。
【請求項１２】
前記曲げ部材はプルワイヤの前記延在部分であり、前記プルワイヤの細長い部分の移動により、前記延在部分を前記屈曲構成から前記直線構成に移行させる、請求項９に記載の装置。
【請求項１３】
前記プルワイヤは、前記管状送達部材の前記外側のチャネル内に位置付けられている、請求項１２に記載の装置。
【請求項１４】
前記プルワイヤは、接着剤で前記管状送達部材に固定され、前記細長い部分の前記移動により、前記接着剤が破断して前記プルワイヤを解放する、請求項１２に記載の装置。
【発明の詳細な説明】
【技術分野】
【０００１】
本開示は、医療器具に関し、より具体的には、動脈瘤治療用装置のための送達システムに関する。
【背景技術】
【０００２】
動脈瘤は、合併症を伴うことがあり、治療が困難であり得る。例えば、動脈瘤が重要な組織に近接して位置する場合、治療アクセスが制限され得る、又はアクセス不能であり得る。かかる要因は、頭蓋血管を取り囲む脳組織の存在に起因する頭蓋動脈瘤に関するものである。
【０００３】
これまでの解決策としては、血管内治療アクセスが挙げられ、これにより、動脈血圧及び血流から動脈瘤嚢の内部容積が除去される、又は排除される。血管内又は他の外科的アプローチの代替としては、動脈瘤の嚢を塞栓性物質で充填して血栓塊を生成すること、又は動脈瘤の入口（つまりネック）を治療して、入口全体の血流を最小化し、動脈瘤内での静脈鬱滞血を誘発し、動脈瘤内の血栓塊の自然形成を促進することのいずれかを行う閉塞装置が挙げられる。かかる装置は、典型的には、複数の塞栓コイルを用いて、嚢の充填又は入口の治療のいずれかを行う。
【０００４】
塞栓コイルで動脈瘤嚢を充填することによって動脈瘤を閉塞させるのに十分な充填密度を得ることは困難であり、時間がかかり、動脈瘤の形態（例えば、幅広のネック、分岐部など）などは、コイル塊を支持し、所望の充填密度を得るためにステント又はバルーンなど補助装置を必要とした。
【０００５】
塞栓コイルを用いた動脈瘤の入口の治療によって形成される自然形成の血栓塊は、動脈壁から生じ得る膨張を低減し、ネック面に沿った元の親血管形状への再統合を可能にすることによって、塞栓コイルで充填した動脈瘤塊と比較して治癒を改善できる。しかしながら、動脈瘤のネックに送達される塞栓コイルは、隣接する血管内の血流を妨げる悪影響を潜在的に有し得、同時に、入口の充填が不十分である場合、血流は動脈瘤に流入し続け得る。
【０００６】
更に、塞栓コイルは、動脈瘤を常に効果的に治療するわけではない。これは、多数のコイルで治療された動脈瘤は、多くの場合、コイリング不良、動脈瘤のネック全体を被覆しないこと、血流、又は更には動脈瘤のサイズにより、再開通、つまりコイルコンパクションを起こすためである。
【０００７】
閉塞装置のいくつかの例は、米国特許第８，９９８，９４７号に記載されている。しかしながら、このアプローチは、塞栓コイルの使用に依存するか、又はコイルアプローチを模倣して安全な充填密度を得、したがって動脈瘤破裂の危険を不要に冒す。更に、このアプローチは、閉塞装置が、その動脈瘤閉塞構造体の初期配置後に再配置され得て、正確な位置決めに関連する患者の安全性を確保する、送達システムを教示することができない。
【発明の概要】
【発明が解決しようとする課題】
【０００８】
したがって、親血管と連通する穿通枝血管への流れを遮断することなく、動脈瘤のネック又は親血管内の他の動静脈の奇形部を、容易かつ正確かつ安全に閉塞する装置を得ることが望ましい。
【０００９】
更に、動脈瘤内に配置されると、外科医は、装置が確実に解放されたことを確実に確認する必要がある。特定の先行技術の解放機構は取り外し時に問題を有し、装置の誤配置をもたらし得る。
【課題を解決するための手段】
【００１０】
上記の必要性に対処できる、本発明の様々な例示的な装置及びシステムを開示する。この装置は、概して、送達チューブ及びプルワイヤと取り外し可能に係合し得る解放構成要素に装着された編組インプラントを含み得る。解放構成要素は、圧縮構成で送達チューブを係合でき、解放構成、つまり展開構成に拡張することによって送達チューブを係合解除できる。プルワイヤは、解放構成要素に係合できる延在部分と、引かれて解放構成要素を係合解除できる細長い部分と、を有し得る。編組インプラントは、埋め込まれると、解放構成要素からプルワイヤを係合解除し、送達チューブから解放構成要素を係合解除することによって、送達チューブから解放され得る。
【００１１】
一実施例では、システムは、編組インプラントと、送達チューブと、解放構成要素と、プルワイヤと、を含み得る。送達チューブは、内部を通るルーメンと、遠位端と、外側表面と、外側表面上のチャネルと、を有し得る。解放構成要素は、バンドと、バンドに装着されたバネ部材と、を有し得る。バンドは、編組インプラントの第１の部分に装着され得、バネ部材は、送達チューブの外側表面を押圧する圧縮構成及び送達チューブの外側表面から離れる方向に延在する伸張構成から移行可能であり得る。プルワイヤは、送達チューブのチャネル内に配置され得、係合構成から解放構成に移行可能であり得る。係合構成は解放構成要素を係合し得、解放構成は、バネ部材のその伸張構成への拡張を可能にし得る。
【００１２】
編組インプラントは、折り畳み部によって分離された第１の部分と、第２の部分と、を有し得る。第１の部分は、送達チューブの遠位端の外側表面の一部を包囲し得る。第２の部分は細長い管状構造を有し得、送達チューブのルーメン内に配置され得る。
【００１３】
プルワイヤは、延在部分と、細長い部分と、を有し得、細長い部分の移動により、延在部分を係合構成から解放構成に移行させ得る。プルワイヤは、接着剤で送達チューブのチャネルに固定され得、細長い部分の移動により接着剤を破断させて、プルワイヤを解放し得る。
【００１４】
システムは、編組インプラントを解放構成要素のバンドの外側表面に固定する固定構成要素を含み得る。固定構成要素は、内部を通るルーメンを含み得る。ルーメンは、解放構成要素のバンドを包囲し得る。
【００１５】
バネ部材は、近位端及び遠位端を有する細長い部材であり得る。近位端は、解放構成要素のバンドの遠位面に装着され得る。遠位端は、圧縮構成において送達チューブの外側表面を押圧し得、遠位端は、伸張構成において送達チューブの外側表面から離れる方向に延在し得る。
【００１６】
解放構成要素は、送達構成から展開構成に移行可能であり得る、バンドに装着された閉塞部材を有し得る。送達構成は、送達チューブの外側表面に沿って長手方向に延在し得、展開構成は、バンドのルーメンを少なくとも部分的に閉塞させ得る。
【００１７】
解放構成要素は、放射線不透過性物質から構成され得る。
【００１８】
例示的な動脈瘤治療用装置は、管状送達部材と、編組管状インプラントと、解放構成要素と、曲げ部材と、を有し得る。管状送達部材は、遠位送達端と、内側と、外側と、を有し得る。編組管状インプラントは、管状送達部材の遠位送達端から外向きに延在し、管状送達部材の外側の一部の上で近位方向に折り畳まれ得る遠位インプラント端を有し得る。編組管状インプラントは、管状送達部材の内側に位置付けられ得る近位インプラント端を有し得る。解放構成要素は、編組インプラントの遠位インプラント端に装着され、遠位送達端付近で管状送達部材の外側に取り外し可能に装着され得る。曲げ部材は、管状送達部材の遠位送達端付近に位置付けられ得る。曲げ部材は、屈曲構成及び直線構成を有し得る。屈曲構成は、解放構成要素の遠位面に係合し得、直線構成は、解放構成要素の遠位面を係合解除し得る。
【００１９】
解放構成要素は、装着構成及び展開構成を有し得る。装着構成は、管状送達部材の外側に係合し得、展開構成は、管状送達部材の外側を係合解除し得る。
【００２０】
展開構成は、解放構成要素のバンドのルーメンを少なくとも部分的に閉塞させ得る。
【００２１】
曲げ部材はプルワイヤの延在部分であり得、プルワイヤの細長い部分の移動により、延在部分を屈曲構成から直線構成に移行させ得る。プルワイヤは、管状送達部材の外側のチャネル内に位置付けられ得る。プルワイヤは、接着剤で管状送達部材に固定され得、細長い部分の移動により接着剤を破断させて、プルワイヤを解放し得る。
【００２２】
動脈瘤治療部位においてインプラントを解放するための例示的な方法は、編組インプラント送達システムを準備する工程と、送達システムのプルワイヤを送達システムの解放構成要素に係合させる工程と、解放構成要素を送達システムの送達チューブに係合させる工程と、送達システムの編組インプラントを治療部位において埋め込む工程と、解放構成要素からプルワイヤを係合解除する工程と、送達チューブから解放構成要素を解放する工程と、送達チューブから解放構成要素を解放し、それによって送達チューブから編組インプラントを解放する工程と、を含み得る。
【００２３】
解放構成要素を解放する工程は、解放構成要素のバネ部材を、送達チューブの外側表面に係合する係合構成から、送達チューブの外側表面から離れる方向に延在する解放構成に移行させる工程を含み得る。
【００２４】
編組インプラントを埋め込む工程は、編組インプラントの一部を反転させることによって閉塞袋を形成することを含み得る。
【００２５】
この方法は、接着剤でプルワイヤを送達チューブに固定する工程を含み得る。プルワイヤを引く工程は、接着剤を破断させる工程を含み得る。
【００２６】
この方法は、解放構成要素の可動部材を移動させて、解放構成要素のルーメンを少なくとも部分的に閉塞させる工程を含み得る。
【図面の簡単な説明】
【００２７】
本発明の上記及び更なる態様は、添付の図面と併せて以下の説明を参照して更に考察され、様々な図面において、同様の数字は、同様の構造要素及び特徴を示す。図面は、必ずしも縮尺どおりではなく、代わりに、本発明の原理を例示することに主眼が置かれている。図は、限定としてではなく単なる例示として、本発明の装置の１つ以上の実装形態を描写している。
【図１ａ】本発明の例示的な装置の構成要素を示す分解組み立て図である。
【図１ｂ】本発明の例示的な装置の切り欠き図である。
【図１ｃ】本発明の例示的な装置の断面図である。
【図２ａ】本発明の装置の使用方法を示す。
【図２ｂ】本発明の装置の使用方法を示す。
【図２ｃ】本発明の装置の使用方法を示す。
【図２ｄ】本発明の装置の使用方法を示す。
【図２ｅ】本発明の装置の使用方法を示す。
【図２ｆ】本発明の装置の使用方法を示す。
【図２ｇ】本発明の装置の使用方法を示す。
【図３ａ】本発明による動脈瘤内での埋め込みの様々な段階における編組インプラントを示す切り欠き図である。
【図３ｂ】本発明による動脈瘤内での埋め込みの様々な段階における編組インプラントを示す切り欠き図である。
【図４ａ】本発明による解放構成要素を示す。
【図４ｂ】本発明による解放構成要素を示す。
【図４ｃ】本発明による解放構成要素を示す。
【図５ａ】本発明の例示的な装置の切り欠き図である。
【図５ｂ】本発明の例示的な装置の断面図である。
【図６】本発明の例示的な装置の断面図である。
【図７ａ】本発明による埋め込みの様々な段階における例示的な装置の切り欠き図である。
【図７ｂ】本発明による埋め込みの様々な段階における例示的な装置の切り欠き図である。
【図７ｃ】本発明による埋め込みの様々な段階における例示的な装置の切り欠き図である。
【図８】本発明による装置を使用するための例示的な方法工程を概説するフローチャートである。
【図９】本発明による装置を使用するための例示的な方法工程を概説するフローチャートである。
【発明を実施するための形態】
【００２８】
塞栓コイルを用いる以前のアプローチは、動脈瘤の入口を治療すること、及び／又は塞栓編組インプラントで動脈瘤を充填することによって改善され得る。例えば、参照により本明細書に組み込まれる米国特許出願第１５／９０３，８６０号を参照されたい。動脈瘤を編組インプラントで治療することは、例えば、より高い充填密度、埋め込み処置中にインプラントを後退させ、再配置する能力、ステント又はバルーンなど補助装置を使用せずに埋め込みを行う能力、再分析又はコイルコンパクションのリスクの低減、及び動脈ネック全体の被覆の改善など塞栓コイルを用いる治療に勝る潜在的な利点を有し得る。
【００２９】
編組インプラント送達システムでは、インプラントが治療部位において所定の位置に配置されるまでインプラントと送達システムとの装着を維持し、次いで、送達システムを引き出せるようにインプラントを取り外すことが有利であり得る。本開示は、少なくともこの目的のために用いることができる様々な例示的なシステム、装置、及び方法について記載する。
【００３０】
図１ａ〜図１ｃは、マイクロカテーテルを通して治療部位へ送達するように構成されている、例示的な送達システムを示す。図１ａは、例示的な送達システムの構成要素を示す分解組み立て図である。図１ｂは、図１ａに示す構成要素を含む、組み立てられた例示的な送達システムを示す切り欠き図である。図１ｃは、図１ｂの組み立てられたシステムの上面断面図である。図示するように、システムは、編組インプラント３００と、解放構成要素１１０と、固定構成要素１５０と、送達チューブ５００と、プルワイヤ２００と、を含み得る。
【００３１】
編組インプラント３００は、インプラント３００の外側折り畳み部３０２をインプラント３００の内側折り畳み部３０４から分離する折り畳み部３０３を有する、実質的に管状の構造を有し得る。インプラント３００は、内側折り畳み部３０４が送達チューブ５００のルーメン５０４内にフィットするようにサイズ決めされ得、折り畳み縁部３０３は、送達チューブ５００の遠位端５０６上で丸まり、外側折り畳み部３０２は近位方向に延在する送達チューブ５００上にフィットし、解放構成要素１１０に固定される。
【００３２】
解放構成要素１１０は、編組インプラント３００の外側折り畳み部３０２に装着され得、治療部位への送達中及び埋め込み中に編組インプラント３００を送達チューブ５００に装着するように機能し得る。埋め込みの完了後、解放構成要素１１０は、患者から取り出すことができるように送達チューブを解放し得る。
【００３３】
図１ａ〜図１ｃは、解放構成要素１１０が編組インプラント３００の送達チューブ５００への装着を可能にし得る圧縮構成にある、例示的な解放構成要素１１０を示す。図１ａ〜図１ｃに示すように構成されている、編組インプラント３００の外側折り畳み部３０２は、解放構成要素１１０上で折り畳まれ、解放構成要素１１０のバンド１１２に装着され得る。バンド１１２は、外側表面１１８及びルーメン１１６を含む管状構造を有し得るが、他の形状も想到される。解放構成要素１１０は、バンドから延在し、送達チューブ５００の外側表面５０８を押圧し、解放構成要素１１０と送達チューブ５００との間に摩擦嵌合をもたらす、１つ以上のバネ部材１２０を含み得る。バネ部材１２０は、バンドの遠位面１１４から遠位方向に延在し、送達チューブ５００を押圧して押し上げる遠位端１２２を有し得る。
【００３４】
固定構成要素１５０を使用して、解放構成要素１１０を編組インプラント３００に装着することができる。固定構成要素１５０は、外側表面１５８と、ルーメン１５６と、を有し得る。固定構成要素１５０は、解放構成要素１１０のバンド１１２上に配置され得、固定構成要素１５０と解放構成要素１１０との間に編組インプラント３００の外側折り畳み部３０２の一部を固定する。
【００３５】
送達チューブ５００は、内部を通るルーメン５０４を有し得る。ルーメン５０４は、編組インプラント３００の内側折り畳み部３０４を含み得る。このルーメンはまた、編組インプラント３００の埋め込みを容易にする追加要素（図示せず）を含み得る。
【００３６】
送達チューブ５００は、外側表面５０８上を長手方向に進むチャネル５０２を有し得、プルワイヤ２００はチャネル５０２内に位置付けられ得る。プルワイヤ２００は、解放構成要素１１０に係合し得る、フックなど延在部分２０２と、近位方向に延在する、チャネル５０２内に位置付けられ得る細長い部分２０４と、を有し得る。図示するように、延在部分２０２は、バンド１１２の遠位面１１４を横切って延在し得る。延在部分２０２は、解放構成要素と係合することにより送達チューブ５００に対する解放構成要素１１０の遠位移動を阻止でき、それによって、編組インプラント３００の埋め込み完了まで、編組インプラント３００と解放構成要素１１０との装着を維持できる。
【００３７】
プルワイヤ２００の細長い部分２０４は、送達チューブ５００の近位端５０５を越えて近位方向に延在し得、プルワイヤ２００へのアクセスをシステムの操作者を提供する。図１ｂに示すように、プルワイヤ２００は、接着剤２５０で送達チューブ５００に取り外し可能に装着され得る。接着剤２５０は、プルワイヤ２００に十分な力が加えられて接着剤２５０を破断させるまでプルワイヤ２００の移動を阻止できる。
【００３８】
図１ｃは、図１ｂに示すように、近位方向に見て折り畳み部３０３に近位の、送達チューブの遠位端５０６付近のシステムの断面図を示す。編組インプラント３００の内側折り畳み部３０４は、送達チューブ５００のルーメン５０４の内側に位置付けられ得、解放構成要素１１０は、送達チューブ５００の外側表面５０８上に位置付けられ得、バネ部材１２０は、解放構成要素１１０のバンド１１２の遠位面１１４から延在し得、外側折り畳み部分３０２は、解放構成要素１１０上にフィットして解放構成要素のバンド１１２に装着され得、固定構成要素１５０は、解放構成要素のバンド１１２及び編組インプラント３００の外側折り畳み部３０２の一部上にフィットし得、編組インプラント３００を解放構成要素１１０に固定する。
【００３９】
図２ａ〜図２ｇは、本発明によるシステム又は装置を用いて編組インプラント３００を展開するための方法を示す。図２ａは、提供され得る編組インプラント送達システム又は装置を示す。システムは、編組インプラント３００と、送達チューブ５００と、解放構成要素１１０と、プルワイヤ２００と、を含み得る。システムは、図１ａ〜図１ｃに関連して記載するように組み立てられ得、その結果、プルワイヤ２００は解放構成要素１１０と係合し、解放構成要素１１０は送達チューブ５００に係合される。組み立てられたシステムは、マイクロカテーテルなど送達カテーテル６００を介して動脈瘤治療部位に送達され得る。
【００４０】
送達されると、編組インプラント３００は、例えば、米国特許出願第１５／９０３，８６０号に記載のように展開され得る。図２ｂは、送達カテーテル６００の遠位端６０２から押し出された押出部分３０６を有する編組インプラント３００を示す。図示するように、編組インプラント３００は、外側折り畳み部３０２の少なくとも一部がカテーテル６００の内側に留まるように、送達システムに装着されたままであり得る。編組インプラント３００は、解放構成要素１１０が送達チューブ５００に装着されたままである限り、送達チューブ５００に装着されたままであり得る。編組インプラントの埋め込みの完了前に、編組インプラント３００の押出部分３０６は、後退させられ、再配置され得る。
【００４１】
図２ｃは、埋め込みの完了後に行われ得る、送達チューブ５００から解放構成要素１１０を解放し、それによって送達チューブ５００から編組インプラント３００を解放する工程を示す。図２ｃは、解放構成要素１１０から係合解除されたプルワイヤ２００及び解放構成への移行を開始する解放構成要素１１０を示す。
【００４２】
プルワイヤ２００の延在部分２０２は可撓性であり得、延在部分２０２は、プルワイヤ２００の細長い部分２０４が近位方向に引かれると、解放構成要素１１０を係合解除し得る。係合解除されると、プルワイヤ２００は、解放構成要素１１０の遠位移動を阻害しないように（送達チューブに対して）移動され得る。
【００４３】
バネ部材１２０の遠位端１２２は、送達チューブ５００から離れる方向に延在し得、圧縮構成から伸張構成に移行する。バネ部材１２０が圧縮構成にあるとき、バネ部材１２０は、送達チューブ５００に対する解放構成要素１１０の移動を阻止できる。バネ部材１２０は、血液など体液との接触時に、バネ部材１２０が、送達チューブ５００から離れる方向に延在する所定の形状に移行できるように、ニチノール又は他の形状記憶材料で作製され得る。図２ｃは、送達チューブ５００がカテーテルに対して遠位方向に移動し、その結果、送達システムがカテーテル６００から出始め、それによってバネ部材１２０の遠位端１２２を露出させることを示す。
【００４４】
図２ｄは、カテーテル６００から出る際に解放構成に移行し続けるバネ部材１２０を示す。バネ部材１２０は編組インプラント３００を押圧でき、インプラント３００の一部を延在させて、例えば、動脈瘤のネックなど治療部位開口部を閉塞させる。
【００４５】
図２ｅは、送達チューブ５００の遠位端５０６から滑り落ちる解放構成要素１１０を示す。図２ｆは、図２ｅに示すように近位に見た断面図である。解放構成要素１１０のバンド１１２は、バネ部材１２０が外向きに延在する際に送達チューブ５００の遠位端５０６を包囲して示されている。
【００４６】
図２ｇは、送達チューブ５００から分離された解放構成要素１１０を示す。係合解除されると、送達チューブ５００は取り出され得るが、その一方で、編組インプラント３００及び解放構成要素１１０は埋め込まれたままである。
【００４７】
図３ａ及び図３ｂは、動脈瘤１０内での埋め込みの様々な段階における編組インプラント３００を示す切り欠き図である。図３ａは、血管２０の動脈瘤１０内に部分的に展開されるが、送達システムからはまだ解放されていない編組インプラント３００を示す。カテーテル６００は動脈瘤１０の部位に送達されている。図示するように、編組インプラント３００は、動脈瘤１０の壁１４まで延在するようにサイズ決めされた閉塞袋３０８を形成し得る。閉塞袋３０８を形成しない編組インプラント３００の部分は、塞栓充填編組３１０を形成する動脈瘤嚢１２内に充填され得る管状形状を保持し得る。図３ａは、編組の一部が送達システム内に留まるように部分的に展開された塞栓充填編組３１０を示す。部分的に展開された状態では、編組３１０は、後退して送達チューブ５００へと戻り、再配置され得る。後退、再配置、及び再展開の間、解放構成要素１１０は、送達チューブ５００に装着された、つまりそれと係合したままであり得、それによって編組インプラント３００と送達システムとの装着を維持する。
【００４８】
図３ｂは、展開時のインプラント３００を示す。解放構成要素１１０は、編組インプラント３００に装着されたままであり得、埋め込まれると動脈瘤１０のネックに存在し得る。解放構成要素１１０は、バネ部材１２０又は外向きに延在する他の構造体を有し得、動脈瘤１０のネックにおいて閉塞袋３０８を拡張する。
【００４９】
図４ａ〜図４ｃは、解放構成要素１１０の別の例を示す。図示するように、解放構成要素１１０は閉塞部材１３０を有し得る。図４ａは、送達チューブ５００上にフィットし、マイクロカテーテル６００を通って移動するようにサイズ決めされた構成にある解放構成要素１１０を示す。図４ｂは、例示的な展開構成にある、図４ａに示す解放構成要素１１０の側面図である。図４ｃは、展開構成にある解放構成要素１１０の上面図である。展開構成では、閉塞部材１３０は内向きに屈曲し得、解放構成要素１１０のルーメン１１６を少なくとも部分的に閉塞させる。バネ部材１２０に関して記載したように、閉塞部材１３０は、可撓性材料から構成され得、及び／又はニチノールなど形状記憶合金から構成され得る。閉塞部材１３０は、送達構成において変形され得、展開構成において所定の形状に移行し得る。変形形状から所定の形状への移行は、閉塞部材１３０の血液又は他の体液との接触時の温度変化によって促進され得る。
【００５０】
解放構成要素１１０は、閉塞部材１３０による解放構成要素１１０のルーメン１１６の閉塞により、閉塞部材１３０が、送達チューブ５００からの解放構成要素１１０の係合解除及び分離を阻止しないように方向付けられ得る。図示するように、閉塞部材１３０は、バンド１１２の近位側に装着され得、バネ部材１２０は遠位側に装着され得る。上述のように方向付けられる場合、バネ部材１２０は、マイクロカテーテル６００を出ると血液又は体液と接触し得、その結果、送達チューブ５００を係合解除する。一方、カテーテル６００は、閉塞部材１３０と血液又は流体との間に障壁を設けることができる。次いで、送達チューブ５００は、閉塞部材１３０が血液又は体液と接触する前に取り出され得る。送達チューブ５００が取り出されると、送達カテーテル６００は取り出され得、したがって閉塞部材１３０を血液又は流体に曝露し、閉塞部材１３０を後退させてバンド１１２のルーメン１１６を閉塞させる。
【００５１】
図５ａは、カテーテル６００の切り欠きの前の装置の外側を示す。プルワイヤ２００は、送達チューブ５００の外側表面５０８のチャネル５０２内に位置付けられる。プルワイヤ２００は解放構成要素１１０の下に延在して、解放構成要素１１０に係合する。編組インプラント３００は、固定構成要素１５０を用いて解放構成要素１１０に装着され、折り畳まれて、外側折り畳み部３０２は送達チューブ５００上に位置付けられ、折り畳み部３０３は送達チューブ５００の遠位端上に位置付けられる。
【００５２】
図５ｂは、図５ａに示したシステムの断面図を示す。図５ｂは、送達チューブ５００、送達チューブチャネル５０２、プルワイヤ２００、解放構成要素１１０のバンド１１２、編組インプラント３００の外側折り畳み部３０２、固定構成要素１５０、及びカテーテル６００の可能な位置付けを示す。
【００５３】
図６は、図５ａ及び図５ｂに示す構成にある、装置及びカテーテル６００の断面図である。断面図では、送達チューブ５００の内側、つまりルーメン５０４、編組インプラント３００の近位端３１２、並びにプルワイヤ２００、送達チューブチャネル５０２、解放構成要素１１０、固定構成要素１５０、編組インプラントの内側折り畳み部３０４、送達チューブ５００、及び編組インプラントの外側折り畳み部３０２の断面を見ることができる。プルワイヤ２００の延在部分２０２は、解放構成要素１１０のバンド１１２に係合して示されており、バネ部材１２０は、解放構成要素１１０のバンド１１２から遠位方向に延在するように示されている。プルワイヤ２００は更に延在して、編組インプラント３００に係合し得る。
【００５４】
図７ａ〜図７ｃは、編組インプラント３００の埋め込みに続く様々な段階における例示的な装置の切り欠き図であり、送達システムからの編組インプラント３００の解放を示す。図７ａ〜図７ｃは、送達チューブ５００、送達チューブチャネル５０２、プルワイヤ２００、解放構成要素１１０、固定構成要素１５０、編組インプラントの近位端３１２、及び閉塞袋３０８の断面を示す。図７ａに示す段階では、編組インプラント３００は送達チューブ５００から押し出され、編組インプラント３００は送達システムからの取り外しを開始する。送達チューブ５００の遠位端５０６は遠位方向に延在して送達カテーテル６００から出る。また、バネ部材１２０は送達チューブから離れる方向に延在する。プルワイヤ２００は解放構成要素１１０に係合し得、延在部分２０２は解放構成要素１１０の遠位方向移動を阻止する。
【００５５】
図７ｂに示す段階では、プルワイヤ２００は解放構成要素１１０を係合解除済みである。延在部分２０２は、力に応答して真っ直ぐになり得る可撓性材料で作製され得、その結果、プルワイヤ２００の細長い部分２０４を近位方向に引くと、延在部分２０２は、解放構成要素１１０のバンド１１２の遠位面１１４から後退し、解放構成要素１１０のバンド１１２の下で送達チューブのチャネル５０２内にフィットするように真っ直ぐになる。図７ｂに示すようにプルワイヤ２００が解放構成要素１１０から係合解除され、バネ部材１２０が送達チューブ５００から離れる方向に延在すると、解放構成要素１１０は、送達チューブ５００の遠位端５０６から自由に滑り落ち得る。
【００５６】
図７ｃに示す段階では、編組インプラント３００は送達チューブ５００から取り外し済みである。図示するように、バネ部材１２０は外向きに延在して、編組インプラント３００を並置し得る。分離されると、カテーテル６００、プルワイヤ２００、及び送達チューブ５００は、患者から取り出され得る。
【００５７】
図８及び図９は、本発明による装置を使用するための例示的な方法工程を概説するフローチャートである。これらの方法工程は、本明細書に記載の例示的手段のいずれかによって、又は当業者に既知である任意の手段によって実施され得る。
【００５８】
図８に概説する方法７００を参照すると、工程７１０では、編組インプラント、送達チューブ、解放構成要素、及びプルワイヤ２００を有する編組インプラント送達システムを準備できる。編組インプラント送達システムは、本明細書に記載の特徴の任意の組み合わせ、並びに当業者に既知である任意の特徴を有する、本明細書に記載の送達システムのいずれかであり得る。工程７２０では、プルワイヤを解放構成要素に係合できる。工程７３０では、解放構成要素を送達チューブに係合できる。工程７４０では、治療部位において編組インプラントを動脈瘤内に埋め込むことができる。工程７５０では、プルワイヤを引いて、プルワイヤを解放構成要素から係合解除できる。工程７６０では、送達チューブから解放構成要素を係合解除できる。工程７７０では、解放構成要素を送達チューブから解放し、それによって編組インプラントを送達チューブから解放できる。
【００５９】
図９に概説する方法８００を参照すると、工程８１０では、編組インプラント、送達チューブ、解放構成要素、及びプルワイヤを有する編組インプラント送達システムを準備できる。編組インプラント送達システムは、本明細書に記載の特徴の任意の組み合わせ、並びに当業者に既知である任意の特徴を有する、本明細書に記載の送達システムのいずれかであり得る。工程８１５では、接着剤でプルワイヤを送達チューブに固定できる。工程８２０では、プルワイヤを解放構成要素に係合できる。工程８３０では、解放構成要素を送達チューブに係合できる。工程８４０では、治療部位において編組インプラントを動脈瘤内に埋め込み、編組インプラントの一部分を反転させることによって閉塞袋を形成できる。工程８５０では、接着剤を破断でき、プルワイヤを引くことによって解放構成要素からプルワイヤを係合解除できる。工程８６０では、送達チューブの外側表面に係合する係合構成から、送達チューブの外側表面から離れる方向に延在する解放構成にバネ部材を移行させることによって、送達チューブから解放構成要素を係合解除できる。工程８７０では、送達チューブから解放構成要素を解放し、それによって編組インプラントを送達チューブから解放できる。
【００６０】
本明細書に含まれる記述は、本発明を示す例であり、本発明の範囲を何ら制限するものではない。本明細書に記載のように、本発明は、動脈瘤内で編組インプラント３００を解放するために使用され得るシステム、装置、又は方法の多くの変形形態及び修正形態を企図する。変形形態は、本明細書に記載の要素及び構成要素の代替形状に限定されるものではなく、例えば、各構成要素又は要素に様々な材料（例えば、放射線不透過性物質、形状記憶合金など）のいずれかを用いること、編組インプラント３００を治療部位に位置付ける、若しくは送達チューブ５００の内側から編組インプラント３００の一部を押し出す構成要素など追加構成要素を用いること、追加構成要素を用いて本明細書に記載の機能を実行すること、又は追加構成要素を用いて本明細書に未記載の機能を実行すること、が挙げられる。これらの修正形態は、本発明の関連技術分野の当業者に明らかであろうし、かつ、以下の特許請求項の範囲内であることが意図される。
【００６１】
〔実施の態様〕
（１）  動脈瘤内でインプラントを解放するためのシステムであって、
編組インプラントと、
内部を通るルーメンと、遠位端と、外側表面と、前記外側表面に配設されたチャネルと、を備える送達チューブと、
解放構成要素であって、
前記編組インプラントの第１の部分に装着された外側表面と、前記送達チューブの前記遠位端に近接して前記送達チューブを包囲するルーメンと、を備えるバンドと、
前記バンドに装着されたバネ部材であって、前記バネ部材は圧縮構成から伸張構成に移行可能であり、前記圧縮構成は前記送達チューブの前記外側表面を押圧し、前記伸張構成は前記送達チューブの前記外側表面から離れる方向に延在する、バネ部材と、を備える、解放構成要素と、
前記送達チューブの前記チャネル内に位置付けられたプルワイヤであって、前記プルワイヤは係合構成から解放構成に移行可能であり、前記係合構成は前記解放構成要素を係合しており、前記解放構成は前記バネ部材のその伸張構成への拡張を可能にする、プルワイヤと、を備える、システム。
（２）  前記編組インプラントの前記第１の部分は、折り畳み部によって前記編組インプラントの第２の部分から分離され、
前記第１の部分は、前記送達チューブの前記遠位端の前記外側表面の一部を包囲し、
前記第２の部分は細長い管状構造を備え、前記送達チューブの前記ルーメン内に位置付けられている、実施態様１に記載のシステム。
（３）  前記プルワイヤは、延在部分と、細長い部分と、を備え、前記細長い部分の移動により、前記延在部分を前記係合構成から前記解放構成に移行させる、実施態様１に記載のシステム。
（４）  前記プルワイヤは、接着剤で前記送達チューブの前記チャネルに固定され、前記細長い部分の前記移動により、前記接着剤が破断して前記プルワイヤを解放する、実施態様３に記載のシステム。
（５）  前記編組インプラントを前記バンドの前記外側表面に固定する固定構成要素を更に備え、前記固定構成要素は内部を通るルーメンを備え、前記ルーメンは前記バンドを包囲する、実施態様１に記載のシステム。
【００６２】
（６）  前記バネ部材は、近位端及び遠位端を備える細長い部材であり、前記近位端は前記バンドの遠位面に装着され、前記遠位端は、前記圧縮構成において前記送達チューブの前記外側表面を押圧し、前記遠位端は、前記伸張構成において前記送達チューブの前記外側表面から離れる方向に延在する、実施態様１に記載のシステム。
（７）  前記解放構成要素は、送達構成から展開構成に移行可能な、前記バンドに装着された閉塞部材を更に備え、前記送達構成は、前記送達チューブの前記外側表面に沿って長手方向に延在し、前記展開構成は、前記バンドの前記ルーメンを少なくとも部分的に閉塞させる、実施態様１に記載のシステム。
（８）  前記解放構成要素は放射線不透過性物質からなる、実施態様１に記載のシステム。
（９）  動脈瘤を治療するための装置であって、
遠位送達端と、内側と、外側と、を備える、管状送達部材と、
編組管状インプラントであって、
前記管状送達部材の前記遠位送達端から外向きに延在し、前記管状送達部材の前記外側の一部の上で近位に折り畳まれる、遠位インプラント端と、
前記管状送達部材の前記内側に位置付けられた近位インプラント端と、を備える、編組管状インプラントと、
前記遠位インプラント端に装着され、前記遠位送達端に近接して前記管状送達部材の前記外側に取り外し可能に装着された解放構成要素と、
前記管状送達部材の前記遠位送達端に近接して位置付けられた曲げ部材であって、前記曲げ部材は屈曲構成及び直線構成を含み、前記屈曲構成は前記解放構成要素の遠位面を係合し、前記直線構成は前記解放構成要素の前記遠位面から係合解除されている、曲げ部材と、を備える、装置。
（１０）  前記解放構成要素は装着構成及び展開構成を含み、前記装着構成は前記管状送達部材の前記外側を係合し、前記展開構成は前記管状送達部材の前記外側を係合解除する、実施態様９に記載の装置。
【００６３】
（１１）  前記展開構成は、前記バンドの前記ルーメンを少なくとも部分的に閉塞させる、実施態様１０に記載の装置。
（１２）  前記曲げ部材はプルワイヤの前記延在部分であり、前記プルワイヤの細長い部分の移動により、前記延在部分を前記屈曲構成から前記直線構成に移行させる、実施態様９に記載の装置。
（１３）  前記プルワイヤは、前記管状送達部材の前記外側のチャネル内に位置付けられている、実施態様１２に記載の装置。
（１４）  前記プルワイヤは、接着剤で前記管状送達部材に固定され、前記細長い部分の前記移動により、前記接着剤が破断して前記プルワイヤを解放する、実施態様１２に記載の装置。
（１５）  動脈瘤治療部位においてインプラントを解放するための方法であって、
編組インプラント送達システムを準備することであって、前記インプラント送達システムは、編組インプラントと、送達チューブと、解放構成要素と、プルワイヤと、を備える、ことと、
前記プルワイヤを前記解放構成要素に係合することと、
前記解放構成要素を前記送達チューブに係合することと、
前記治療部位において前記編組インプラントを埋め込むことと、
前記プルワイヤを引いて前記解放構成要素から係合解除することと、
前記解放構成要素を前記送達チューブから係合解除することと、
前記送達チューブから前記解放構成要素を解放し、それによって前記送達チューブから前記編組インプラントを解放することと、を含む、方法。
【００６４】
（１６）  前記解放構成要素を解放する工程は、前記解放構成要素のバネ部材を、前記送達チューブの外側表面を係合する係合構成から、前記送達チューブの前記外側表面から離れる方向に延在する解放構成に移行させる工程を更に含む、実施態様１５に記載の方法。
（１７）  前記編組インプラントを埋め込む工程は、前記編組インプラントの一部を反転させることによって閉塞袋を形成することを更に含む、実施態様１５に記載の方法。
（１８）  接着剤で前記プルワイヤを前記送達チューブに固定する工程を更に含み、前記プルワイヤを引く工程は、前記接着剤を破断させる工程を更に含む、実施態様１５に記載の方法。
（１９）  前記解放構成要素は、ルーメンと、可動部材と、を備え、前記方法は、前記部材を移動させて前記ルーメンを少なくとも部分的に閉塞させる工程を更に含む、実施態様１５に記載の方法。
【図１ａ】
2020022756.tif 000003
【図１ｂ】
2020022756.tif 000004
【図１ｃ】
2020022756.tif 000005
【図２ａ】
2020022756.tif 000006
【図２ｂ】
2020022756.tif 000007
【図２ｃ】
2020022756.tif 000008
【図２ｄ】
2020022756.tif 000009
【図２ｅ】
2020022756.tif 000010
【図２ｆ】
2020022756.tif 000011
【図２ｇ】
2020022756.tif 000012
【図３ａ】
2020022756.tif 000013
【図３ｂ】
2020022756.tif 000014
【図４ａ】
2020022756.tif 000015
【図４ｂ】
2020022756.tif 000016
【図４ｃ】
2020022756.tif 000017
【図５ａ】
2020022756.tif 000018
【図５ｂ】
2020022756.tif 000019
【図６】
2020022756.tif 000020
【図７ａ】
2020022756.tif 000021
【図７ｂ】
2020022756.tif 000022
【図７ｃ】
2020022756.tif 000023
【図８】
2020022756.tif 000024
【図９】
2020022756.tif 000025
【外国語明細書】
2020022756000001.pdf